(57)【要約】【課題】カードを用いた取引をおこなう際の手順を簡素化することができ、簡単且つ迅速に取引をおこなうこと。【解決手段】カード１２２は、取引情報記憶部５０２と、生体情報受付部５０３と、認証判定部５０４と、読取情報保持部５０５とを有する。取引情報記憶部５０２は、利用者の生体情報と、利用者の取引に関する属性情報とを対応付けて記憶する。生体情報受付部５０３は、利用者から生体情報を受け付ける。認証判定部５０４は、生体情報受付部５０３によって受け付けられた生体情報と一致する生体情報が取引情報記憶部５０２に記憶されているか否かを判定する。読取情報保持部５０５は、認証判定部５０４によって該一致する生体情報が取引情報記憶部５０２に記憶されていると判定された場合、該一致する生体情報と対応付けられて取引情報記憶部５０２に記憶される属性情報を、所定の読取装置が読み取るための読取情報から変換された取引情報を保持する。【選択図】図５
2019148938.tif 000002
【特許請求の範囲】
【請求項１】
利用者の生体情報と、利用者の取引に関する属性情報とを対応付けて記憶する記憶手段と、
利用者から生体情報を受け付ける受付手段と、
前記受付手段によって受け付けられた生体情報と一致する生体情報が前記記憶手段に記憶されているか否かの判定をおこなう判定手段と、
前記判定手段によって前記一致する生体情報が前記記憶手段に記憶されていると判定された場合、前記一致する生体情報と対応付けられて前記記憶手段に記憶される属性情報を、所定の読取装置が読み取るための読取情報から変換された取引情報を保持する保持手段と、
を有することを特徴とするカード。
【請求項２】
前記記憶手段は、複数の生体情報と、前記複数の生体情報に対応付けられる複数の属性情報とを記憶する、
ことを特徴とする請求項１に記載のカード。
【請求項３】
前記受付手段は、前記保持手段によって読取情報が保持された後に、利用者から再び生体情報を受け付け、
前記判定手段は、前記受付手段によって再び受け付けられた生体情報を用いて前記判定を再びおこない、
前記保持手段は、前記判定手段によって再びおこなわれた前記判定において一致する生体情報があると判定された場合、当該一致する生体情報に対応付けられて前記記憶手段に記憶される属性情報を用いて、保持する読取情報を更新する、
ことを特徴とする請求項１または２に記載のカード。
【請求項４】
前記保持手段は、前記判定手段によって再びおこなわれた前記判定において一致する生体情報がないと判定された場合、保持した読取情報を消去する、
ことを特徴とする請求項３に記載のカード
【請求項５】
前記保持手段は、読取情報を保持してから所定時間が経過した場合、保持した読取情報を消去する、
ことを特徴とする請求項１〜４のいずれか一つに記載のカード。
【請求項６】
前記属性情報は、出金額の情報および支払方法に関する情報のうち、少なくともいずれか一方を含む、
ことを特徴とする請求項１〜５のいずれか一つに記載のカード。
【請求項７】
前記保持手段によって保持された読取情報から変換された取引情報を表示する表示手段をさらに有することを特徴とする請求項１〜６のいずれか一つに記載のカード。
【請求項８】
前記属性情報は、出金額の情報および支払方法に関する情報を含み、
前記表示手段は、前記出金額の情報および前記支払方法に関する情報を含む読取情報から変換された取引情報を表示する、
ことを特徴とする請求項７に記載のカード。
【請求項９】
利用者から生体情報を受け付け、
利用者の生体情報と、利用者の取引に関する属性情報とを対応付けて記憶する記憶部を参照し、受け付けた生体情報と一致する生体情報が前記記憶部に記憶されているか否かを判定し、
前記一致する生体情報が前記記憶部に記憶されていると判定した場合、前記一致する生体情報と対応付けられて前記記憶部に記憶される属性情報を、所定の読取装置が読み取るための読取情報から変換された取引情報を保持する、
処理をコンピュータが実行することを特徴とする情報記憶方法。
【請求項１０】
利用者から生体情報を受け付け、
利用者の生体情報と、利用者の取引に関する属性情報とを対応付けて記憶する記憶部を参照し、受け付けた生体情報と一致する生体情報が前記記憶部に記憶されているか否かを判定し、
前記一致する生体情報が前記記憶部に記憶されていると判定した場合、前記一致する生体情報と対応付けられて前記記憶部に記憶される属性情報を、所定の読取装置が読み取るための読取情報から変換された取引情報を保持する、
処理をコンピュータに実行させることを特徴とする情報記憶プログラム。
【発明の詳細な説明】
【技術分野】
【０００１】
この発明は、クレジットカードやキャッシュカードなどのカード、取引をおこなうための情報を記憶する情報記憶方法および情報記憶プログラムに関する。
【背景技術】
【０００２】
従来、クレジットカードやキャッシュカードなどを用いて、各種取引がおこなわれている。たとえば、クレジットカードを用いて、利用者が商品を購入した場合やサービスの提供を受けた際の支払がおこなわれる。また、たとえば、キャッシュカードを用いて、利用者が銀行の口座から所望の額を引き出す出金がおこなわれる。
【０００３】
関連する技術として、たとえば、利用者の指紋を読み取る機能を有するカードが開示されている（たとえば、下記特許文献１参照。）。
【先行技術文献】
【特許文献】
【０００４】
【特許文献１】特開２００２−２２２４０７号公報
【発明の概要】
【発明が解決しようとする課題】
【０００５】
しかしながら、従来におけるカードを用いた取引では、たとえば、クレジットカードを用いて支払をおこなう場合には、支払をおこなう者がテンキーを用いて暗証番号を入力したり、店員に支払い回数を口頭で伝えたりすることを要するため、支払者にとって手間がかかることがあった。また、店員にとっても、支払者に支払回数などの支払方法を尋ねたり、決済端末に支払方法を入力したりすることを要するため、手間がかかることがあった。
【０００６】
また、たとえば、キャッシュカードを用いて出金する場合には、出金する者がテンキーを用いて金額や暗証番号を入力することを要するため、出金する者にとって手間がかかることがあった。
【０００７】
このように、従来におけるカードを用いた取引では、カードの利用にかかる者にとって手間がかかることがあり、これにより、取引に時間を要し、カードの利用にかかる利便性が低いことがあるという問題があった。
【０００８】
この発明は、上述した従来技術による問題点を解消するため、カードを用いた取引をおこなう際の手間を抑え、簡単且つ迅速に取引をおこなうことにより、カードの利用にかかる利便性を向上させることができるカード、情報記憶方法、および情報記憶プログラムを提供することを目的とする。
【課題を解決するための手段】
【０００９】
上述した課題を解決し、目的を達成するため、この発明にかかるカードは、利用者の生体情報と、利用者の取引に関する属性情報とを対応付けて記憶する記憶手段と、利用者から生体情報を受け付ける受付手段と、前記受付手段によって受け付けられた生体情報と一致する生体情報が前記記憶手段に記憶されているか否かの判定をおこなう判定手段と、前記判定手段によって前記一致する生体情報が前記記憶手段に記憶されていると判定された場合、前記一致する生体情報と対応付けられて前記記憶手段に記憶される属性情報を、所定の読取装置が読み取るための読取情報から変換された取引情報を保持する保持手段と、を有することを特徴とする。
【００１０】
また、この発明にかかるカードは、上記発明において、前記記憶手段は、複数の生体情報と、前記複数の生体情報に対応付けられる複数の属性情報とを記憶する、ことを特徴とする。
【００１１】
また、この発明にかかるカードは、上記発明において、前記受付手段は、前記保持手段によって読取情報が保持された後に、利用者から再び生体情報を受け付け、前記判定手段は、前記受付手段によって再び受け付けられた生体情報を用いて前記判定を再びおこない、前記保持手段は、前記判定手段によって再びおこなわれた前記判定において一致する生体情報があると判定された場合、当該一致する生体情報に対応付けられて前記記憶手段に記憶される属性情報を用いて、保持する読取情報を更新する、ことを特徴とする。
【００１２】
また、この発明にかかるカードは、上記発明において、前記保持手段は、前記判定手段によって再びおこなわれた前記判定において一致する生体情報がないと判定された場合、保持した読取情報を消去する、ことを特徴とする。
【００１３】
また、この発明にかかるカードは、上記発明において前記保持手段は、読取情報を保持してから所定時間が経過した場合、保持した読取情報を消去する、ことを特徴とする。
【００１４】
また、この発明にかかるカードは、上記発明において、前記属性情報は、出金額の情報および支払方法に関する情報のうち、少なくともいずれか一方を含む、ことを特徴とする。
【００１５】
また、この発明にかかるカードは、上記発明において、前記保持手段によって保持された読取情報から変換された取引情報を表示する表示手段をさらに有することを特徴とする。
【００１６】
また、この発明にかかるカードは、上記発明において、前記属性情報は、出金額の情報および支払方法に関する情報を含み、前記表示手段は、前記出金額の情報および前記支払方法に関する情報を含む読取情報から変換された取引情報を表示する、ことを特徴とする。
【００１７】
また、この発明にかかる情報記憶方法は、利用者から生体情報を受け付け、利用者の生体情報と、利用者の取引に関する属性情報とを対応付けて記憶する記憶部を参照し、受け付けた生体情報と一致する生体情報が前記記憶部に記憶されているか否かを判定し、前記一致する生体情報が前記記憶部に記憶されていると判定した場合、前記一致する生体情報と対応付けられて前記記憶部に記憶される属性情報を、所定の読取装置が読み取るための読取情報から変換された取引情報を保持する、処理をコンピュータが実行することを特徴とする。
【００１８】
また、この発明にかかる情報記憶プログラムは、利用者から生体情報を受け付け、利用者の生体情報と、利用者の取引に関する属性情報とを対応付けて記憶する記憶部を参照し、受け付けた生体情報と一致する生体情報が前記記憶部に記憶されているか否かを判定し、前記一致する生体情報が前記記憶部に記憶されていると判定した場合、前記一致する生体情報と対応付けられて前記記憶部に記憶される属性情報を、所定の読取装置が読み取るための読取情報から変換された取引情報を保持する、処理をコンピュータに実行させることを特徴とする。
【発明の効果】
【００１９】
この発明にかかるカード、情報記憶方法、および情報記憶プログラムによれば、カードを用いた取引をおこなう際の手順を簡素化することができ、簡単且つ迅速に取引をおこなうことにより、カードの利用にかかる利便性を向上させることができる、という効果を奏する。
【図面の簡単な説明】
【００２０】
【図１】図１は、実施の形態にかかる取引システム１００のシステム構成例を示す説明図である。
【図２Ａ】図２Ａは、利用者端末１２１のハードウエア構成の一例を示すブロック図である。
【図２Ｂ】図２Ｂは、カード１２２のハードウエア構成の一例を示すブロック図である。
【図３】図３は、取引情報テーブル１２５の記憶内容の一例を示す説明図である。
【図４Ａ】図４Ａは、本実施の形態にかかるカード１２２の操作例および表示例を示す図（その１）である。
【図４Ｂ】図４Ｂは、本実施の形態にかかるカード１２２の操作例および表示例を示す図（その２）である。
【図５】図５は、本実施の形態にかかる取引システム１００の機能的構成を示す説明図である。
【図６】図６は、利用者端末１２１に表示される取引情報の登録画面の一例を示す説明図である。
【図７】図７は、利用者端末１２１に表示される取引情報の一覧表示画面の一例を示す説明図である。
【図８】図８は、利用者端末１２１がおこなう取引情報の登録処理手順の一例を示すフローチャートである。
【図９】図９は、カード１２２がおこなう取引情報の登録処理手順の一例を示すフローチャートである。
【図１０Ａ】図１０Ａは、カード１２２がおこなう読取情報を保持する処理手順の一例を示すフローチャート（その１）である。
【図１０Ｂ】図１０Ｂは、カード１２２がおこなう読取情報を保持する処理手順の一例を示すフローチャート（その２）である。
【図１１】図１１は、店舗端末１３１がおこなう決済処理手順の一例を示すフローチャートである。
【図１２】図１２は、ＡＴＭ１３２がおこなう出金処理手順の一例を示すフローチャートである。
【図１３】図１３は、カードの他の一例を示す図である。
【発明を実施するための形態】
【００２１】
以下に添付図面を参照して、この発明にかかるカード、情報記憶方法、および情報記憶プログラムの好適な実施の形態を詳細に説明する。
【００２２】
（取引システムのシステム構成）
まず、実施の形態にかかる取引システム１００のシステム構成例について説明する。図１は、実施の形態にかかる取引システム１００のシステム構成例を示す説明図である。図１において、取引システム１００は、カード会社サーバ１１１と、銀行サーバ１１２と、利用者端末１２１と、カード１２２と、店舗端末１３１と、ＡＴＭ（Ａｕｔｏｍａｔｅｄ  Ｔｅｌｌｅｒ  Ｍａｃｈｉｎｅ：現金自動預け払い機）１３２と、を有する。
【００２３】
カード会社サーバ１１１は、カード会社に設けられるサーバである。具体的には、カード会社サーバ１１１は、利用者ごとのクレジットカードの利用限度額や現在の利用額等を管理する汎用的なコンピュータ装置である。カード会社サーバ１１１は、たとえば、ＣＰＵ（Ｃｅｎｔｒａｌ  Ｐｒｏｃｅｓｓｉｎｇ  Ｕｎｉｔ）やメモリやインタフェースなどを有するパーソナルコンピュータである。
【００２４】
銀行サーバ１１２は、銀行に設けられるサーバである。具体的には、銀行サーバ１１２は、利用者ごとの口座の預金額等を管理する汎用的なコンピュータ装置である。銀行サーバ１１２は、たとえば、ＣＰＵやメモリやインタフェースなどを有するパーソナルコンピュータである。
【００２５】
利用者端末１２１は、たとえば、カード１２２の利用者が有するコンピュータ装置である。利用者端末１２１は、近距離通信をおこなうことが可能であり、利用者から受け付けた指紋情報および属性情報（出金額の情報や支払に関する情報）をカード１２２へ送信する。利用者端末１２１には、たとえば、スマートフォンやタブレット型ＰＣ（Ｐｅｒｓｏｎａｌ  Ｃｏｍｐｕｔｅｒ）といったコンピュータ装置が用いられる。利用者端末１２１は、ＣＰＵやメモリやインタフェースなどを有する。
【００２６】
ただし、利用者端末１２１は、スマートフォンやタブレット型ＰＣに限らず、デスクトップ型ＰＣ、ノート型ＰＣなどの各種ＰＣ、携帯電話機、ＰＨＳ（Ｐｅｒｓｏｎａｌ  Ｈａｎｄｙｐｈｏｎｅ  Ｓｙｓｔｅｍ）とすることも可能である。
【００２７】
カード１２２は、クレジットカードとキャッシュカードとの機能を有する。カード１２２は、利用者の指紋情報を読み取る指紋読取部１２３を有する。カード１２２は、近距離通信をおこなうことが可能であり、利用者端末１２１から受信した、指紋情報と、指紋情報に応じた属性情報とを記憶する。
【００２８】
また、カード１２２は、ディスプレイ１２４を有する。さらに、カード１２２は、取引情報テーブル１２５を有する。取引情報テーブル１２５の記憶内容については、図３を用いて後述する。また、カード１２２には、この発明にかかる情報記憶プログラムがインストールされている。
【００２９】
店舗端末１３１は、クレジットカードの決済機能を備え、決済用のネットワークを介して、インターネットなどのネットワーク１４０に接続されている。店舗端末１３１は、カード１２２のクレジットカードの機能を用いた決済（以下「カード決済」という）にかかる各種の処理をおこなう。店舗端末１３１は、カード決済にかかる各種の処理の実行に際して、カード会社サーバ１１１との間で通信をおこなう。
【００３０】
また、店舗端末１３１は、利用者とカード会社サーバ１１１とのインタフェースをつかさどり、カード１２２のクレジットカードの機能に関する利用状況を利用者に通知する。たとえば、店舗端末１３１は、カード決済をおこなうごとにカード１２２のクレジットカードの機能に関する利用状況を利用者に通知する。
【００３１】
店舗端末１３１は、購入する商品についての会計をおこなうレジスタや、カード１２２（クレジットカード）のカード情報を読み取るカードリーダや、カード会社サーバ１１１にカード情報等を送受信する通信部などを備える。店舗端末１３１は、具体的には、たとえばＣＡＴ（Ｃｒｅｄｉｔ  Ａｕｔｈｏｒｉｚａｔｉｏｎ  Ｔｅｒｍｉｎａｌ）端末やＰＯＳ（Ｐｏｉｎｔ  Ｏｆ  Ｓａｌｅｓｓｙｓｔｅｍ）端末などのクレジットカードの信用照会端末などによって実現することができる。
【００３２】
ＡＴＭ１３２は、銀行の店舗やコンビニエンスストアなどに設けられ、インターネットなどのネットワーク１４０に接続されている。ＡＴＭ１３２は、カード１２２のキャッシュカードの機能を用いた入出金や振込などにかかる各種の処理をおこなう。ＡＴＭ１３２は、入出金や振込などにかかる各種の処理の実行に際して、銀行サーバ１１２との間で通信をおこなう。
【００３３】
また、ＡＴＭ１３２は、利用者と銀行サーバ１１２とのインタフェースをつかさどり、カード１２２のキャッシュカードの機能に関する利用状況を利用者に通知する。たとえば、ＡＴＭ１３２は、各種処理をおこなうごとにカード１２２のキャッシュカードの機能に関する利用状況を利用者に通知する。
【００３４】
取引システム１００において、カード会社サーバ１１１と、銀行サーバ１１２と、利用者端末１２１と、店舗端末１３１と、ＡＴＭ１３２とは、有線または無線のネットワーク１４０を介して接続される。ネットワーク１４０は、具体的には、たとえば、インターネット、移動体通信網などである。ただし、ネットワーク１４０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などであってもよい。
【００３５】
（利用者端末１２１のハードウエア構成の一例）
つぎに、利用者端末１２１について、その具体的な構成の一例を説明する。図２Ａは、利用者端末１２１のハードウエア構成の一例を示すブロック図である。
【００３６】
図２Ａにおいて、利用者端末１２１を実現するコンピュータ装置は、ＣＰＵ２１１と、メモリ２１２と、出力デバイス２１３と、入力デバイス２１４と、通信ＩＦ（Ｉｎｔｅｒｆａｃｅ）２１５と、を備える。コンピュータ装置が備える各部２１１〜２１５は、バス２１０によってそれぞれ接続されている。ＣＰＵ２１１は、コンピュータ装置の全体の制御をつかさどる。
【００３７】
メモリ２１２は、ブートプログラムなどのプログラムや、各種のデータベースのデータなどを記憶する。また、メモリ２１２は、ＣＰＵ２１１のワークエリアとして使用される。メモリ２１２は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｃ  Ｄｒｉｖｅ）、およびＨＤ（Ｈａｒｄ  Ｄｉｓｃ）などによって実現することができる。
【００３８】
出力デバイス２１３は、たとえば、ディスプレイ、スピーカ、音声出力端子などを含む。ディスプレイは、操作内容や、利用者に対する案内情報などを表示する。ディスプレイは、認証サービスにかかる各種の操作画面を表示する。ディスプレイは、たとえば、主に液晶ディスプレイや有機ＥＬ（Ｅｌｅｃｔｒｏ−Ｌｕｍｉｎｅｓｃｅｎｃｅ）ディスプレイなどによって実現することができる。
【００３９】
また、スピーカは、音声、アラーム音などを出力する。音声出力端子は、ヘッドフォーンなどを接続する端子であり、スピーカと同様に、音声、アラーム音などを接続されたヘッドフォーンなどに出力する。
【００４０】
入力デバイス２１４は、文字、数値、各種指示などの入力のためのキーを備え、データ入力をおこなう。入力デバイス２１４は、たとえば、タッチパネルやキーボードなどを含む。タッチパネルやキーボードは、入力操作に応じた信号をＣＰＵ２１１に対して出力する。
【００４１】
タッチパネルは、ディスプレイの表示面側に積層される。タッチパネルは、指やペンなどの筆記部材が接触したことを検出した場合に、タッチパネルに対する筆記部材の接触位置に応じた電気信号を出力する。タッチパネルは、たとえば抵抗膜方式や静電容量方式、音響パルス認識方式、超音波表面弾性波方式、赤外遮光方式、画像認識方式など公知の各種の方式のものを用いることができる。
【００４２】
また、入力デバイス２１４は、カメラを含む。カメラは、静止画や動画を撮像する。具体的には、たとえば、カメラは、ＣＰＵ２１１によって制御されて撮像対象を撮像し、画像データを生成したり、バーコードやＱＲコード（登録商標）といった二次元コードを撮影して入力したり、ＯＣＲ（Ｏｐｔｉｃａｌ  Ｃｈａｒａｃｔｅｒ  Ｒｅａｄｅｒ）機能を用いて撮影した文字をデータ化して入力する。
【００４３】
また、入力デバイス２１４は、マイクを含む。マイクは、アナログデータとして入力された話者の声をアナログ／デジタル変換し、デジタル形式の音声データを生成する。マイクを用いることにより、利用者は、利用者端末１２１を介して、タッチパネルやキーボードを用いる代わりに、文字などの入力をおこなうことができる。
【００４４】
また、入力デバイス２１４は、指紋センサを含む。指紋センサは、たとえば、所定のアプリケーションが起動した状態で、利用者がディスプレイに指をタッチすることにより、利用者の指紋情報を検出する。また、指紋センサは、たとえば、接触面に接触した指の表面の凹凸に応じて移動する電荷を検出する静電容量方式など公知の技術を用いることができる。
【００４５】
通信ＩＦ２１５は、ネットワーク１４０に接続され、コンピュータ装置の内部と、カード１２２や、カード会社サーバ１１１や、銀行サーバ１１２などの外部装置とのインタフェースをつかさどる。具体的には、通信ＩＦ２１５は、コンピュータ装置の内部と外部装置との間におけるデータの入出力を制御する。
【００４６】
また、通信ＩＦ２１５は、近距離通信をおこなうことが可能である。近距離通信は、たとえば、Ｂｌｕｅｔｏｏｔｈ（登録商標）、ＮＦＣ（Ｎｅａｒ  Ｆｉｅｌｄ  Ｃｏｍｍｕｎｉｃａｔｉｏｎ）、Ｗｉ−Ｆｉ（登録商標）などの通信である。
【００４７】
ここで、図示を省略するが、店舗端末１３１やＡＴＭ１３２についても、利用者端末１２１と同様に、ＣＰＵ２１１と、メモリ２１２と、出力デバイス２１３と、入力デバイス２１４と、通信ＩＦ２１５とを備える。ただし、店舗端末１３１やＡＴＭ１３２の場合、上述した出力デバイス２１３や入力デバイス２１４には、以下のデバイスを含む。
【００４８】
たとえば、店舗端末１３１やＡＴＭ１３２の場合、出力デバイス２１３は、プリンタを含む。プリンタは、取引結果を印字する。また、店舗端末１３１やＡＴＭ１３２の場合、入力デバイス２１４は、カードリーダを含む。カードリーダは、カード１２２のカード番号や、カード１２２に記憶される属性情報を読み取る。
【００４９】
また、店舗端末１３１の場合、入力デバイス２１４は、バーコードリーダを含む。バーコードリーダは、商品名や商品番号や価格などの商品に関する情報がコード化されてバーコードを読み取る。
【００５０】
（カード１２２のハードウエア構成の一例）
つぎに、カード１２２のハードウエア構成の一例を説明する。図２Ｂは、カード１２２のハードウエア構成の一例を示すブロック図である。図２Ｂにおいて、カード１２２は、ＣＰＵ２２１と、メモリ２２２と、通信ＩＦ２２３と、指紋センサ２２４と、ディスプレイ２２５と、を備える。また、カード１２２が備える各部２２１〜２２５は、バス２２０によってそれぞれ接続されている。
【００５１】
ＣＰＵ２２１は、カード１２２の全体の制御をつかさどる。ＣＰＵ２２１は、メモリ２２２が記憶する各種のプログラムやデータを用いて、カード１２２の全体の制御をつかさどる。メモリ２２２は、利用者の指紋情報と、指紋情報に対応付けられる属性情報とを記憶する。また、メモリ２２２には、この発明にかかる情報記憶プログラムが記憶されている。メモリ２２２は、たとえば、ＲＯＭ、ＲＡＭ、およびフラッシュメモリなどによって実現することができる。
【００５２】
通信ＩＦ２２３は、カード１２２の内部と、利用者端末１２１などの外部装置とのインタフェースをつかさどる。また、通信ＩＦ２２３は、近距離通信をおこなうことが可能である。近距離通信は、たとえば、Ｂｌｕｅｔｏｏｔｈ、ＮＦＣ、Ｗｉ−Ｆｉなどの通信である。
【００５３】
指紋センサ２２４は、利用者が指をタッチすることにより、利用者の指紋情報を読み取る読取部（指紋読取部１２３）である。指紋センサ２２４には、上述した静電容量方式など公知の技術を用いることができる。指紋センサ２２４によって読み取られた指紋情報は、指紋認証に用いられる。具体的には、ＣＰＵ２２１は、指紋センサ２２４によって読み取られた指紋情報が、メモリ２２２に記憶された利用者の指紋情報に一致するか否かの一致判定をおこなうことによって、指紋認証をおこなう。
【００５４】
ディスプレイ２２５は、指紋センサ２２４によって検出された指紋に応じた情報を表示する。ディスプレイ２２５には、液晶ディスプレイ、有機ＥＬディスプレイ、電子ペーパーなどを用いることができる。指紋センサ２２４やディスプレイ２２５を起動させる電源は、たとえば、バッテリ（蓄電池）が用いられるが、これに限らず、ソーラー電池や圧電素子などを用いることも可能である。
【００５５】
（取引情報テーブル１２５の記憶内容）
つぎに、図３を用いて、図１に示したカード１２２が有する取引情報テーブル１２５の記憶内容について説明する。取引情報テーブル１２５は、たとえば、メモリなどの記憶部により実現される。
【００５６】
図３は、取引情報テーブル１２５の記憶内容の一例を示す説明図である。図３において、取引情報テーブル１２５は、指紋、出金額、および支払方法のフィールドを有する。各フィールドに情報を設定することで、取引情報（たとえば、取引情報３００−１〜３００−１０）のレコードが記憶される。
【００５７】
指紋は、利用者によって登録される利用者の指紋である。指紋は、利用者の指ごとに複数登録される。出金額は、カード１２２をキャッシュカードとして用いた場合の引き出す額を示す。支払方法は、カード１２２をキャッシュカードとして用いた場合の支払回数を示す。
【００５８】
たとえば、取引情報３００−１は、指紋「右親指」、出金額「１００００円」、支払方法「１回払い」を示す。取引情報３００−６は、指紋「左親指」、出金額「２００００円」、支払方法「１回払い」を示す。取引情報３００−１と取引情報３００−６とで、支払方法は同じ内容を示すが、異なっていてもよい。
【００５９】
ここで、登録されていない指紋は、いずれも、出金額「リセット」、支払方法「リセット」として記憶される。たとえば、取引情報３００−５，３００−１０は、指紋「右小指」と「左小指」に対応し、いずれも、出金額「リセット」、支払方法「リセット」を示し、すなわち、いずれも指紋が登録されていないことを示す。
【００６０】
（本実施の形態にかかるカード１２２の操作例および表示例）
つぎに、図４Ａおよび図４Ｂを用いて、本実施の形態にかかるカード１２２の操作例および表示例について説明する。図４Ａは、本実施の形態にかかるカード１２２の操作例および表示例を示す図（その１）である。以下に示す括弧書きの番号は、図４Ａに示す括弧書きの番号と対応する。
【００６１】
取引情報テーブル１２５は、カードの記憶手段が持っている。しかしながら、それには限定されるものではない。たとえば、取引情報テーブル１２５をカードの記憶手段が持つのではなく、利用者端末の記憶手段に持たせるようにしてもよい。そして、利用者端末の記憶手段に持たせた場合には、認証判定部５０４により判定処理がおこなわれる際に、利用者端末に問合せをして、取引情報テーブル１２５の内容について取得するようにしてもよい。
【００６２】
図４Ａに示すように、（１）たとえば、利用者が右親指でカード１２２の指紋読取部１２３を１回タッチ（操作）し、カード１２２がおこなう指紋認証に成功すると、ディスプレイ１２４には、右親指の指紋に応じたキャッシュカードの出金額「１００００円」が表示される。このとき、カード１２２には、出金額「１００００円」を示す出金額の情報が記憶される。
【００６３】
そして、（１）の状態から、（２）利用者が再び右親指でカード１２２の指紋読取部１２３を１回（２回目）タッチし、カード１２２がおこなう指紋認証に成功すると、ディスプレイ１２４には、右親指の指紋に応じたキャッシュカードの出金額（＋１００００円）が加算されて、「２００００円」が表示される。このとき、カード１２２には、出金額「２００００円」を示す出金額の情報が記憶される。
【００６４】
さらに、（２）の状態から、（３）利用者が右人差し指でカード１２２の指紋読取部１２３を１回タッチし、カード１２２がおこなう指紋認証に成功すると、ディスプレイ１２４には、右人差し指の指紋に応じたキャッシュカードの出金額（＋１０００円）が加算されて、「２１０００円」が表示される。このとき、カード１２２には、出金額「２１０００円」を示す出金額の情報が記憶される。
【００６５】
そして、（３）の状態から、（４）利用者が左中指でカード１２２の指紋読取部１２３を１回タッチし、カード１２２がおこなう指紋認証に成功すると、ディスプレイ１２４には、左中指の指紋に応じたキャッシュカードの出金額（−２０００円）が減算されて、「１９０００円」が表示される。このとき、カード１２２には、出金額「１９０００円」を示す出金額の情報が記憶される。
【００６６】
なお、カード１２２に登録されていない指（右小指や左小指や第三者の指）でカード１２２の指紋読取部１２３がタッチされると、カード１２２がおこなう指紋認証に失敗することとなり、ディスプレイ１２４に表示された出金額に相当する金額はリセットされる。また、カード１２２に記憶された出金額の情報は消去される。
【００６７】
このように、利用者が指紋読取部１２３をタッチして、カード１２２がおこなう指紋認証に成功すると、タッチした指（指紋）に応じたキャッシュカードの出金額に相当する金額が増額または減額されてディスプレイ１２４に表示され、表示された出金額の情報がカード１２２に記憶される。そして、利用者が、このカード１２２をＡＴＭ１３２に挿入すると、ＡＴＭ１３２において暗証番号や出金額の入力をしなくても、カード１２２に記憶された出金額の情報が示す額の出金が可能となる。
【００６８】
図４Ｂは、本実施の形態にかかるカード１２２の操作例および表示例を示す図（その２）である。以下に示す括弧書きの番号と、図４Ａおよび図４Ｂに示す括弧書きの番号とは、対応するものとして説明する。
【００６９】
図４Ｂにおいて、指の操作と、ディスプレイ１２４に表示される出金額については、図４Ａと同様である。図４Ｂにおいて、ディスプレイ１２４に表示される内容は、出金額と支払方法とが、たとえば２秒間隔で交互に表示される。指紋読取部１２３への指のタッチ（操作）と出金額の表示については、図４Ａを用いて説明したとおりである。以下では、指紋読取部１２３への指のタッチ（操作）と支払方法の表示について説明する。
【００７０】
（１）たとえば、利用者が右親指でカード１２２の指紋読取部１２３を１回タッチ（操作）し、カード１２２がおこなう指紋認証に成功すると、ディスプレイ１２４には、右親指の指紋に応じた支払方法である「１回払い」が表示される。このとき、カード１２２には、支払方法である「１回払い」を示す支払に関する情報が記憶される。
【００７１】
そして、（１）の状態から、（２）利用者が再び右親指でカード１２２の指紋読取部１２３を１回（２回目）タッチし、カード１２２がおこなう指紋認証に成功すると、ディスプレイ１２４には、右親指の指紋に応じた支払方法である「１回払い」が継続して表示される。このとき、カード１２２には、支払方法である「１回払い」を示す支払に関する情報が継続して記憶される。
【００７２】
さらに、（２）の状態から、（３）利用者が右人差し指でカード１２２の指紋読取部１２３を１回タッチし、カード１２２がおこなう指紋認証に成功すると、ディスプレイ１２４には、右人差し指の指紋に応じた支払方法である「ボーナス払い」が表示される。このとき、カード１２２には、支払方法である「ボーナス払い」を示す支払に関する情報が記憶される。
【００７３】
そして、（３）の状態から、（４）利用者が左中指でカード１２２の指紋読取部１２３を１回タッチする。そして、カード１２２がおこなう指紋認証に成功すると、ディスプレイ１２４には、左中指の指紋に応じた支払方法である「１２回払い」が表示される。このとき、カード１２２には、支払方法である「１２回払い」を示す支払いに関する情報が記憶される。
【００７４】
なお、カード１２２に登録されていない指（右小指や左小指や第三者の指）でカード１２２の指紋読取部１２３がタッチされると、カード１２２がおこなう指紋認証に失敗することとなり、ディスプレイ１２４に表示された支払方法はリセットされる。また、カード１２２に記憶された支払に関する情報は消去される。
【００７５】
このように、利用者が指紋読取部１２３をタッチして指紋認証に成功すると、タッチした指（指紋）に応じた支払方法がディスプレイ１２４に表示されて、表示された支払に関する情報がカード１２２に記憶される。
【００７６】
そして、利用者がカード１２２を用いて支払をおこなう場合、カード１２２を店員に渡して、店員が店舗端末１３１にカード１２２を挿入すると、カード１２２に記憶された支払方法に関する情報が示す支払方法で支払が可能となる。すなわち、カード１２２を用いることにより、定員が利用者に支払方法を尋ねたり、利用者がそれに返答したり、利用者が暗証番号を入力しなくても、カード１２２に記憶された支払方法で支払が可能となる。
【００７７】
（取引システム１００の機能的構成）
図５は、本実施の形態にかかる取引システム１００の機能的構成を示す説明図である。図５において、取引システム１００は、利用者端末１２１と、カード１２２と、店舗端末１３１と、ＡＴＭ１３２と、カード会社サーバ１１１と、銀行サーバ１１２とを備える。
【００７８】
まず、利用者端末１２１について説明する。利用者端末１２１は、生体情報受付部５１１と、属性情報受付部５１２と、受付情報記憶部５１３と、通信部５１４とを備える。利用者端末１２１は、所定のアプリケーションプログラムをインストールすることにより、各部の機能を実現することができる。
【００７９】
生体情報受付部５１１は、利用者（利用者端末１２１の所有者）から、生体情報の入力を受け付ける。生体情報は、たとえば、指紋情報である。ただし、生体情報は、これに限らず、掌形、顔、血管、網膜、虹彩、声紋など他の生体情報としてもよい。たとえば、生体情報受付部５１１は、一または複数の指紋情報の入力を受け付ける。
【００８０】
一の指紋情報は、任意の指の指紋情報であり、たとえば、右人差し指の指紋情報である。複数の指紋情報は、右手および左手の各指の指紋情報であり、たとえば、最大１０個の指紋情報である。ただし、複数の指紋情報には、足の指の指紋情報を含めてもよい。生体情報受付部５１１は、利用者端末１２１の入力デバイス２１４に含まれる指紋センサによって実現される。
【００８１】
属性情報受付部５１２は、利用者から指紋情報に対応付ける属性情報を受け付ける。属性情報は、利用者の取引に関する属性情報であり、たとえば、出金額の情報および支払方法に関する情報のうち、少なくともいずれか一方を含む。出金額の情報は、カード１２２のキャッシュカードの機能によってＡＴＭ１３２から引き出す金額の情報である。
【００８２】
なお、本実施の形態において、出金額の情報は、カード１２２のキャッシュカードの機能によって銀行サーバ１１２から現金を引き出す際の額の情報とするが、これに限らない。たとえば、出金額の情報は、カード１２２のクレジットカードの機能によるキャッシングによってカード会社サーバ１１１から現金を借りる際の額の情報とすることも可能である。
【００８３】
出金額の情報は、たとえば、１０００円、２０００円、５０００円、１００００円といった金額の情報である。ここで、一度に出金する額は、利用者ごとに大体決まった額である。このため、出金額の情報は、利用者に応じて任意に設定可能とする。たとえば、５００００円や、１０００００円を出金する頻度が高い利用者の場合には、属性情報受付部５１２は、このような額を出金額の情報として利用者から受け付ければよい。また、出金額の情報は、１００円単位、１０円単位で設定可能としてもよい。
【００８４】
支払方法に関する情報は、カード１２２のクレジットカードの機能によって支払をおこなう際の支払回数などの情報である。支払方法に関する情報は、たとえば、「１回払い」、「１２回払い」、「ボーナス払い」などといった情報である。属性情報受付部５１２は、利用者端末１２１の入力デバイス２１４に含まれるタッチパネルなどによって実現される。
【００８５】
受付情報記憶部５１３は、生体情報受付部５１１によって受け付けられた指紋情報と、属性情報受付部５１２によって受け付けられた属性情報とを対応付けて記憶する。たとえば、受付情報記憶部５１３は、右親指の指紋情報に対して、出金額「１００００円」を対応付けて記憶する。
【００８６】
また、受付情報記憶部５１３は、一の指紋情報に対して、同時に複数の属性情報（出金額の情報と支払方法に関する情報）を対応付けて記憶することが可能である。たとえば、受付情報記憶部５１３は、右親指の指紋情報に対して、出金額「１００００円」と、支払方法に関する情報として「１回払い」とを対応付けて記憶する。受付情報記憶部５１３は、利用者端末１２１のメモリ２１２によって実現される。
【００８７】
通信部５１４は、受付情報記憶部５１３に記憶された情報（取引情報）をカード１２２へ送信する。通信部５１４は、近距離通信により、カード１２２へ情報を送信する。ここで、カード１２２には、予めカード１２２にアクセスするための固有のＩＤ（ＩＤｅｎｔｉｆｉｃａｔｉｏｎ）やパスワードが設定されている。このＩＤやパスワードは、たとえば、カード１２２を発行した際に、発行元のカード会社や銀行から、利用者に通知される。
【００８８】
利用者端末１２１は、取引情報をカード１２２に送信するにあたり、利用者からこのＩＤやパスワードの入力を利用者から受け付ける。通信部５１４は、利用者端末１２１が受け付けたＩＤやパスワードとともに、取引情報をカード１２２へ送信する。通信部５１４は、利用者端末１２１の通信ＩＦ２１５によって実現される。
【００８９】
つぎに、カード１２２について説明する。カード１２２は、取引情報受信部５０１と、取引情報記憶部５０２と、生体情報受付部５０３と、認証判定部５０４と、読取情報保持部５０５と、表示部５０６とを備える。
【００９０】
取引情報受信部５０１は、利用者端末１２１の通信部５１４から、取引情報を受信する。取引情報は、利用者の生体情報（たとえば、指紋情報）と、当該生体情報に対応付けられる、利用者の取引に関する属性情報とを含む。取引情報受信部５０１は、利用者端末１２１からカード１２２へのアクセスを許可するためのＩＤやパスワードも受信する。取引情報受信部５０１は、カード１２２の通信ＩＦ２２３によって実現される。
【００９１】
取引情報受信部５０１は、利用者端末１２１のうちの所定の利用者端末のみから、取引情報を受信できるようにしてもよい。ここで、所定の利用者端末か否かの判断は、たとえば、カードの記憶手段に記憶されている利用者端末のＭＡＣアドレスなどを用いて判断してもよい。また、所定の利用者端末か否かの判断は、利用者端末に固有の情報であって、ＭＡＣアドレス以外の情報に基づいて判断するようにしてもよい。これにより、利用者端末１２１のうち任意の利用者端末のみを選択することができ、より、適切な取引を実行することができる。
【００９２】
取引情報記憶部５０２は、取引情報受信部５０１に受信された取引情報を記憶する。たとえば、取引情報受信部５０１に受信されたカード１２２へのアクセスを許可するためのＩＤやパスワードが、予めカード１２２に設定されたＩＤやパスワードと一致した場合に、取引情報記憶部５０２は、取引情報を記憶する。
【００９３】
また、取引情報記憶部５０２は、複数の取引情報を記憶する。複数の取引情報は、複数の生体情報（各指の指紋情報）と、複数の生体情報のそれぞれに対応付けられる属性情報とを含む。取引情報記憶部５０２は、カード１２２のメモリ２２２などによって実現される。
【００９４】
取引情報記憶部５０２は、利用者端末１２１のうちの所定の利用者端末から受信した取引情報のみを記憶するようにしてもよい。ここで、所定の利用者端末か否かの判断は、取引情報受信部５０１における判断と同様に、たとえば、カードの記憶手段に記憶されている利用者端末のＭＡＣアドレスなどを用いて判断してもよい。また、所定の利用者端末か否かの判断は、利用者端末に固有の情報であって、ＭＡＣアドレス以外の情報に基づいて判断するようにしてもよい。これにより、利用者端末１２１のうち任意の利用者端末のみを選択し、その利用者端末から受信した取引情報を記憶することができ、記憶領域における記憶容量の節約をすることができる。
【００９５】
生体情報受付部５０３は、利用者から生体情報を受け付ける。具体的には、生体情報受付部５０３は、利用者から指紋情報を受け付ける。より具体的には、生体情報受付部５０３は複数の生体情報（各指の指紋情報）のうちの一の生体情報を利用者から受け付ける。生体情報受付部５０３は、カード１２２の指紋センサ２２４によって実現される。
【００９６】
認証判定部５０４は、生体情報受付部５０３によって受け付けられた生体情報と一致する生体情報が取引情報記憶部５０２に記憶されているか否かを判定（以下、「一致判定」と称する）する。認証判定部５０４は、たとえば、静電容量方式など公知の技術を用いて、生体情報の一致判定をおこなう。認証判定部５０４は、たとえば、カード１２２のメモリ２２２に記憶されたプログラムをＣＰＵ２２１に実行させることにより、その機能を実現する。
【００９７】
読取情報保持部５０５は、認証判定部５０４によって肯定の判定結果が得られた場合（認証に成功した場合）、一致する生体情報と対応付けられて取引情報記憶部５０２に記憶される属性情報を、所定の読取装置が読み取るための読取情報から変換された取引情報を保持する。所定の読取装置は、たとえば、店舗端末１３１やＡＴＭ１３２である。
【００９８】
読取情報を保持するとは、一時的に読取情報を記憶することである。具体的には、たとえば、読取情報を保持するとは、後述するように、指紋認証に失敗した場合や、所定時間が経過した場合や、所定の読み取り装置によって読取情報が読み取られた場合などに、記憶した読取情報を消去することである。
【００９９】
これに対して、上述した取引情報記憶部５０２による取引情報の記憶とは、「保持」のような一時的な記憶ではなく、原則、記憶した状態を継続することである。たとえば、取引情報記憶部５０２に記憶される取引情報は、利用者端末１２１を介して、利用者から取引情報を消去するための入力（たとえば、取引情報の再登録）を受け付けた場合などに消去されるものの、このような入力がない限り、継続して記憶される。
【０１００】
一方で、読取情報保持部５０５は、認証判定部５０４によって否定の判定結果が得られた場合（認証に失敗した場合）、読取情報を保持しない。具体的には、第三者の指紋など、取引情報記憶部５０２に記憶されていない指紋が生体情報受付部５０３によって受け付けた場合、読取情報保持部５０５は、読取情報を保持しない。
【０１０１】
このように、読取情報は一時的に記憶されるものであるため、カード１２２を紛失したとしても、第三者によるカード１２２の不正使用を防止することができる。読取情報保持部５０５は、たとえば、カード１２２のメモリ２２２に記憶されたプログラムをＣＰＵ２２１に実行させることにより、その機能を実現する。
【０１０２】
表示部５０６は、読取情報保持部５０５によって保持された属性情報を表示する。具体的には、表示部５０６は、出金額の情報および支払方法に関する情報を表示する。たとえば、表示部５０６は、出金額の情報および支払方法に関する情報を所定時間（たとえば２秒）おきに交互に表示する。
【０１０３】
ただし、表示部５０６は、出金額の情報および支払方法に関する情報を、それぞれ表示領域を分けることにより、同時に表示してもよい。また、表示部５０６は、利用者の操作に応じて切替え可能にして、いずれか一方を表示してもよい。表示部５０６は、カード１２２のディスプレイ２２５によって実現される。
【０１０４】
つぎに、カード１２２が利用者から複数回、生体情報を受け付ける場合について説明する。生体情報受付部５０３は、読取情報保持部５０５によって読取情報が保持された後に、利用者から再びの生体情報を受け付け可能である。認証判定部５０４は、生体情報受付部５０３によって再び受け付けられた生体情報を用いて、一致判定を再びおこなう。
【０１０５】
そして、読取情報保持部５０５は、認証判定部５０４によって再びおこなわれた一致判定において一致する生体情報があると判定された場合に、一致する生体情報に対応付けられて取引情報記憶部５０２に記憶される属性情報を用いて、保持する属性情報を更新する。
【０１０６】
たとえば、読取情報保持部５０５は、出金額の情報については、新たに受け付けた生体情報に対応する出金額の情報に応じた額を加算または減算して、出金額の情報を更新する。これにより、利用者は、各指の指紋情報に対応する出金額の情報を組み合わせて、出金額の情報をカード１２２に保持させることができる。
【０１０７】
また、読取情報保持部５０５は、支払方法に関する情報については、新たに受け付けた生体情報に対応する支払方法に関する情報に応じた支払方法に変更する。これにより、利用者は、支払方法に関する情報を誤ってカード１２２に保持させした場合でも、再度、支払方法に関する情報を保持させ直すことができる。
【０１０８】
つぎに、読取情報保持部５０５によって保持された属性情報を消去することについて説明する。読取情報保持部５０５は、認証判定部５０４によって再びおこなわれた一致判定において、一致する生体情報がないと判定した場合（指紋認証に失敗した場合）、保持した属性情報を消去する。
【０１０９】
具体的には、取引情報記憶部５０２に記憶されていない指紋情報が生体情報受付部５０３によって受け付けられた場合、読取情報保持部５０５は、読取情報を消去する。これによって、誤った出金額の情報をカード１２２に保持させた場合であっても、当該出金額の情報を消去することができるとともに、再度、出金額の情報を保持させ直すことができる。
【０１１０】
また、読取情報保持部５０５は、読取情報を保持してから所定時間が経過すると、保持した属性情報を消去する。所定時間は、たとえば、利用者がキャッシュカードを利用する際にＡＴＭ１３２の前で並ぶ際の待機時間や、利用者がクレジットカードで商品等を購入する際にレジの前で並ぶ際の待機時間を考慮した時間である。具体的には、所定時間は、たとえば、１０分程度である。
【０１１１】
これにより、読取情報保持部５０５に読取情報が長時間記憶されることがないため、仮に、読取情報が保持された状態でカード１２２が盗難されたとしても、第三者によるカード１２２の不正使用を防止することができる。
【０１１２】
また、読取情報保持部５０５は、店舗端末１３１やＡＴＭ１３２によって読取情報が読み取られると、読取情報保持部５０５に保持された属性情報を消去する。これにより、取引の終了後には、読取情報保持部５０５に属性情報を保持させないようにすることができる。
【０１１３】
つぎに、店舗端末１３１およびカード会社サーバ１１１について説明する。店舗端末１３１は、読取部５２１と、通信部５２２とを備える。読取部５２１は、カード１２２の読取情報保持部５０５に保持された読取情報を読み取る。具体的には、読取部５２１は、読取情報保持部５０５に保持された支払方法に関する情報と、クレジットカードの機能にかかるカード番号などのカードの情報を読み取る。
【０１１４】
読取部５２１によって読み取られた情報は、店舗端末１３１に別途入力された支払額の情報とともに、通信部５２２へ出力される。読取部５２１は、店舗端末１３１の入力デバイスに含まれるカードリーダによって実現される。
【０１１５】
通信部５２２は、カード会社サーバ１１１に対して与信照会の依頼をおこなう。与信照会は、クレジットカードの月々の利用可能な金額を示す与信枠のうち、支払額分の空きがあるか否かの照会である。与信照会の依頼において、通信部５２２は、読取部５２１によって読み取られた情報と、店舗端末１３１に別途入力された支払額の情報とを、カード会社サーバ１１１へ送信する。通信部５２２は、店舗端末１３１の通信ＩＦによって実現される。
【０１１６】
カード会社サーバ１１１は、店舗端末１３１の通信部５２２から送信された情報（カード情報と支払方法に関する情報）を用いて与信照会をおこなう。ここで、カード１２２の認証判定部５０４によって、利用者から受け付けた生体情報と取引情報記憶部５０２に記憶されている一致する生体情報との一致判定（生体認証）が既におこなわれていることから、カード会社サーバ１１１は、暗証番号を用いた認証をおこなわずに、与信照会をおこなう。
【０１１７】
与信照会において、カード会社サーバ１１１は、与信枠に支払額分の空きがある場合、支払額分を確保して、支払方法に関する情報が示す支払方法により、カード決済を完了させる。その一方で、与信照会において、与信枠に支払額分の空きがない場合には、カード決済がおこなわれないこととなる。カード会社サーバ１１１は、カード決済の結果を店舗端末１３１の通信部５２２へ送信する。店舗端末１３１は、カード会社サーバ１１１から受信したカード決済の結果をディスプレイに表示したり、プリンタに印字出力させたりする。
【０１１８】
つぎに、ＡＴＭ１３２および銀行サーバ１１２について説明する。ＡＴＭ１３２は、読取部５３１と、通信部５３２とを備える。読取部５３１は、カード１２２の読取情報保持部５０５に保持された読取情報を読み取る。具体的には、読取部５３１は、読取情報保持部５０５に保持された出金額の情報と、口座番号などのカードの情報を読み取る。読取部５３１によって読み取られた情報は、通信部５３２へ出力される。読取部５３１は、ＡＴＭ１３２の入力デバイスに含まれるカードリーダによって実現される。
【０１１９】
通信部５３２は、銀行サーバ１１２に対して口座番号が示す口座から出金額分の金額の出金の依頼をおこなう。具体的には、通信部５３２は、読取部５３１によって読み取られた情報を銀行サーバ１１２へ送信する。通信部５３２は、ＡＴＭ１３２の通信ＩＦによって実現される。
【０１２０】
銀行サーバ１１２は、ＡＴＭ１３２の通信部５３２から送信された情報（カード情報と出金額の情報）を用いて、口座番号が示す口座に出金額の情報が示す金額が預金されている場合に、出金を許可する。一方で、銀行サーバ１１２は、口座番号が示す口座に出金額の情報が示す金額が預金されていない場合に、出金を許可しない。
【０１２１】
ここで、カード１２２の認証判定部５０４によって、利用者から受け付けた生体情報と取引情報記憶部５０２に記憶されている一致する生体情報との一致判定（生体認証）が既におこなわれていることから、銀行サーバ１１２は、暗証番号を用いた認証をおこなわずに、出金額の情報が示す金額が預金されているか否かを判断する。
【０１２２】
銀行サーバ１１２は、出金に関する許否の結果をＡＴＭ１３２へ送信する。ＡＴＭ１３２は、銀行サーバ１１２から受信した出金に関する許否の結果に基づいて、所定の払出口から出金額の情報が示す金額を払い出す。また、ＡＴＭ１３２は、出金額や払い出した後の口座の残額などをディスプレイに表示したり、プリンタに取引内容を印字出力させたりする。
【０１２３】
なお、出金額の情報を、カード１２２のクレジットカードの機能によるキャッシングによってカード会社サーバ１１１から現金を借りる際の額の情報とした場合、ＡＴＭ１３２の通信部５３２は、カード会社サーバ１１１に対してカード番号や出金額の情報を送信すればよい。また、カード会社サーバ１１１は、ＡＴＭ１３２の通信部５３２から送信された情報（カード番号と出金額の情報）を用いて、キャッシングの可否の結果をＡＴＭ１３２へ送信すればよい。
【０１２４】
（利用者端末１２１に表示される画面の一例）
つぎに、図６および図７を用いて、利用者端末１２１に表示される画面の一例について説明する。図６は、利用者端末１２１に表示される取引情報の登録画面の一例を示す説明図である。図６の登録画面６００は、利用者端末１２１において、取引情報（指紋情報や属性情報）の登録をおこなう際の画面である。登録画面６００は、所定のアプリケーションが起動することにより表示される。
【０１２５】
登録画面６００は、指紋指定欄６０１と、指紋読取部６０２と、出金額指定欄６０３と、支払方法指定欄６０４、登録ボタン６０５と、一覧表示ボタン６０６と、終了ボタン６０７とを含む。指紋指定欄６０１は、登録する指の指定を受け付ける。具体的には、指紋指定欄６０１の右手および左手のそれぞれについて、親指、人差し指、中指、薬指、小指の指定を受け付ける。指紋指定欄６０１は、プルダウンボタンが操作されることにより、いずれかの指の指定を選択可能に受け付ける。
【０１２６】
指紋読取部６０２は、指紋指定欄６０１に指定された指の指紋情報を利用者から受け付ける。金額指定欄６０３は、指紋読取部６０２が読み取った指紋情報に対応する出金額を利用者から受け付ける。出金額は、キャッシュカードの機能によって引き出す額であるが、クレジットカードの機能のキャッシングによって借りる額としてもよい。また、キャッシュカードの機能によって引き出す額と、キャッシングによって借りる額とを示す欄を、それぞれ別々に表示することとして、それぞれを利用者から受け付けることとしてもよい。
【０１２７】
また、金額指定欄６０３は、プルダウンボタンが操作されることにより、「１０００円」、「１００００円」といった金額の指定を選択可能に受け付ける。ただし、金額指定欄６０３は、利用者が所望する任意の金額（たとえば、１円単位や１０円単位の金額）を受け付けることも可能である。
【０１２８】
支払方法指定欄６０４は、指紋読取部６０２が読み取った指紋情報に対応する支払方法を利用者から受け付ける。支払方法指定欄６０４は、プルダウンボタンが操作されることにより、「１回払い」、「１２回払い」、「ボーナス払い」といった支払方法を選択可能に受け付ける。
【０１２９】
登録ボタン６０５は、各指定欄６０１，６０３，６０４や指紋読取部６０２への入力が完了した場合に、入力が完了した内容の登録を受け付ける。登録ボタン６０５が選択されると、他の指紋登録が可能な別の登録画面６００が表示される。
【０１３０】
一覧表示ボタン６０６は、既に登録した取引情報の一覧を表示させるためのボタンである。一覧表示ボタン６０６が操作されると、図７の一覧表示画面７００が表示される。終了ボタン６０７は、取引情報の登録を終了させるボタンである。終了ボタン６０７が操作されると、起動中のアプリケーションが終了する。
【０１３１】
図７は、利用者端末１２１に表示される取引情報の一覧表示画面の一例を示す説明図である。図７の一覧表示画面７００は、一覧表示７０１と、登録変更ボタン７０２と、送信ボタン７０３とを含む。一覧表示７０１は、指紋と、出金額と、支払方法とを対応付けた各取引情報を示す。一覧表示７０１は、取引情報テーブル１２５（図３参照）に記憶される各取引情報３００に相当する。
【０１３２】
一覧表示７０１は、利用者が閲覧したい場合に、所定のアプリケーションを起動させることにより、いつでも閲覧することが可能である。これにより、利用者は、各指紋に対応する出金額や支払方法を一見して把握することができる。
【０１３３】
登録変更ボタン７０２は、登録の変更を受け付けるボタンである。登録変更ボタン７０２が選択されると、図６の登録画面６００に移行する。送信ボタン７０３は、一覧表示７０１に示す取引情報をカード１２２へ送信するためのボタンである。利用者端末１２１から送信された取引情報を、カード１２２が受信すると、取引情報を記憶する。これにより、カード１２２は、一覧表示７０１が示す内容で取引情報を記憶することができる。
【０１３４】
（利用者端末１２１がおこなう取引情報の登録処理手順の一例）
つぎに、図８を用いて、利用者端末１２１がおこなう取引情報の登録処理手順の一例について説明する。図８は、利用者端末１２１がおこなう取引情報の登録処理手順の一例を示すフローチャートである。
【０１３５】
図８において、利用者端末１２１は、取引情報の登録を開始するか否かを判断する（ステップＳ８０１）。取引情報の登録を開始するとは、利用者端末１２１において、たとえば、図６の登録画面６００を表示するための所定のアプリケーションが起動することである。所定のアプリケーションは、利用者が利用者端末１２１を操作することによって起動されることとしてもよいし、利用者端末１２１にカード１２２を近付けることによってカード１２２と近距離通信をおこなった場合に起動されることとしてもよい。
【０１３６】
利用者端末１２１は、取引情報の登録を開始するまで待つ（ステップＳ８０１：Ｎｏ）。利用者端末１２１は、取引情報の登録を開始する場合（ステップＳ８０１：Ｙｅｓ）、たとえば、図６の指紋指定欄６０１から、登録する指の指定を受け付ける（ステップＳ８０２）。そして、利用者端末１２１は、図６の指紋読取部６０２から、指紋情報を受け付ける（ステップＳ８０３）。
【０１３７】
さらに、利用者端末１２１は、図６の出金額指定欄６０３や支払方法指定欄６０４から、指紋情報に対応する属性情報を受け付ける（ステップＳ８０４）。そして、利用者端末１２１は、登録する旨を受け付けたか否かを判断する（ステップＳ８０５）。登録する旨を受け付けるか否かは、たとえば、図６の登録ボタン６０５が選択されたか否かである。利用者端末１２１は、登録する旨を受け付けない場合（ステップＳ８０５：Ｎｏ）、ステップＳ８０２に移行する。
【０１３８】
利用者端末１２１は、登録する旨を受け付けた場合（ステップＳ８０５：Ｙｅｓ）、受け付けた指紋情報と属性情報とを対応付けた取引情報を記憶する（ステップＳ８０６）。つぎに、利用者端末１２１は、取引情報をカード１２２へ送信するか否かを判断する（ステップＳ８０７）。取引情報をカード１２２へ送信するか否かは、たとえば、図７の送信ボタン７０３が選択されたか否かである。
【０１３９】
利用者端末１２１は、取引情報をカード１２２へ送信しない場合（ステップＳ８０７：Ｎｏ）、ステップＳ８０２に移行する。利用者端末１２１は、取引情報をカード１２２へ送信する場合（ステップＳ８０７：Ｙｅｓ）、近距離通信により、取引情報をカード１２２へ送信し（ステップＳ８０８）、一連の処理を終了する。
【０１４０】
なお、図示については省略するが、取引情報を送信するに際し、利用者からカード１２２へのアクセスを許可するためのＩＤやパスワードも受け付け、受け付けたＩＤやパスワードも、取引情報とともにカード１２２へ送信される。
【０１４１】
上述した処理によれば、利用者端末１２１は、利用者から受け付けた指紋情報と属性情報とを対応付けた取引情報を記憶して、カード１２２へ送信することができる。
【０１４２】
（カード１２２がおこなう取引情報の登録処理手順の一例）
つぎに、図９を用いて、カード１２２がおこなう取引情報の登録処理手順の一例について説明する。図９は、カード１２２がおこなう取引情報の登録処理手順の一例を示すフローチャートである。
【０１４３】
図９において、カード１２２は、利用者端末１２１から取引情報を受信したか否かを判断する（ステップＳ９０１）。カード１２２は、利用者端末１２１から取引情報を受信するまで待つ（ステップＳ９０１：Ｎｏ）。カード１２２は、利用者端末１２１から取引情報を受信した場合（ステップＳ９０１：Ｙｅｓ）、受信した取引情報を記憶し（ステップＳ９０２）、一連の処理を終了する。
【０１４４】
なお、図示については省略するが、カード１２２は、取引情報を受信するに際し、利用者端末１２１からカード１２２へのアクセスを許可するためのＩＤやパスワードも受信し、受信したＩＤやパスワードが、予めカード１２２に設定されたＩＤやパスワードと一致した場合に、取引情報を記憶する。
【０１４５】
上述した処理によれば、カード１２２は、指紋情報と属性情報とを対応付けた取引情報を記憶することができる。
【０１４６】
（カード１２２がおこなう読取情報を保持する処理手順の一例）
つぎに、図１０Ａおよび図１０Ｂを用いて、カード１２２がおこなう読取情報を保持する処理手順の一例について説明する。図１０Ａおよび図１０Ｂは、カード１２２がおこなう読取情報を保持する処理手順の一例を示すフローチャートである。
【０１４７】
図１０Ａにおいて、カード１２２は、利用者端末１２１から指紋を受け付けたか否かを判断する（ステップＳ１００１）。カード１２２は、利用者端末１２１から指紋を受け付けるまで待つ（ステップＳ１００１：Ｎｏ）。カード１２２は、利用者端末１２１から指紋を受け付けると（ステップＳ１００１：Ｙｅｓ）、利用者から受け付けた指紋情報と一致する指紋情報が取引情報テーブル１２５（図３参照）に記憶されているか否かの、指紋情報の一致判定をおこなう（ステップＳ１００２）。指紋情報の一致判定は、いわゆる指紋認証である。
【０１４８】
そして、カード１２２は、取引情報テーブル１２５に利用者から受け付けた指紋情報と一致する指紋情報が記憶されているか否かを判断する（ステップＳ１００３）。カード１２２は、取引情報テーブル１２５に利用者から受け付けた指紋情報と一致する指紋情報が記憶されていない場合（ステップＳ１００３：Ｎｏ）、すなわち、認証に失敗した場合、ステップＳ１０１２に移行する。
【０１４９】
一方、カード１２２は、取引情報テーブル１２５に利用者から受け付けた指紋情報と一致する指紋情報が記憶されている場合（ステップＳ１００３：Ｙｅｓ）、すなわち、認証に成功した場合、取引情報テーブル１２５から、一致する指紋情報に対応する出金額の情報を取得する（ステップＳ１００４）。さらに、カード１２２は、取引情報テーブル１２５から、一致する指紋情報に対応する支払方法に関する情報を取得する（ステップＳ１００５）。
【０１５０】
つぎに、カード１２２は、店舗端末１３１やＡＴＭ１３２が読み取るための読取情報（出金額の情報と支払方法に関する情報）を保持しているか否かを判断する（ステップＳ１００６）。カード１２２は、読取情報を保持していない場合（ステップＳ１００６：Ｎｏ）、ステップＳ１００８へ移行する。カード１２２は、読取情報を保持している場合（ステップＳ１００６：Ｙｅｓ）、取得した出金額の情報を用いて、出金額の情報を更新する（ステップＳ１００７）。
【０１５１】
そして、図１０Ｂにおいて、カード１２２は、読取情報を保持する（ステップＳ１００８）。さらに、カード１２２は、ディスプレイ１２４に読取情報から変換された取引情報を表示する（ステップＳ１００９）。カード１２２は、２秒おきに、出金額の情報と支払方法に関する情報とを交互に表示する。
【０１５２】
つぎに、カード１２２は、所定時間（たとえば、１０分）が経過したか否かを判断する（ステップＳ１０１０）。カード１２２は、所定時間が経過した場合（ステップＳ１０１０：Ｙｅｓ）、ステップＳ１０１２に移行する。カード１２２は、所定時間が経過していない場合（ステップＳ１０１０：Ｎｏ）、カードリーダ（店舗端末１３１やＡＴＭ１３２）によって読取情報が読み取られたか否かを判断する（ステップＳ１０１１）。
【０１５３】
カード１２２は、読取情報が読み取られていない場合（ステップＳ１０１１：Ｎｏ）、ステップＳ１００１に移行する。カード１２２は、読取情報が読み取られた場合（ステップＳ１０１１：Ｙｅｓ）、保持した読取情報を消去し（ステップＳ１０１２）、一連の処理を終了する。
【０１５４】
上述した処理によれば、カード１２２は、利用者から指紋情報を受け付けることにより、指紋認証と、読取情報（属性情報）保持とをおこなうことができる。言い換えれば、カード１２２は、指紋認証が終了すると同時に、読取情報を保持することができる。このように、利用者から指紋情報を受け付けるだけで、利用者の本人の認証と、読取情報の保持とをおこなうことができるため、カード１２２を利用する際の手順を簡素化することができ、簡単且つ迅速に取引をおこなうことができる。
【０１５５】
（店舗端末１３１がおこなう決済処理手順の一例）
つぎに、図１１を用いて、店舗端末１３１がおこなう決済処理手順の一例について説明する。図１１は、店舗端末１３１がおこなう決済処理手順の一例を示すフローチャートである。
【０１５６】
図１１において、店舗端末１３１は、カード決済の手続の開始を受け付けたか否かを判断する（ステップＳ１１０１）。カード決済の手続の開始を受け付けるとは、たとえば、店員から、カード決済の手続を開始する旨の操作入力を受け付けることである。店舗端末１３１は、カード決済の手続の開始を受け付けるまで待つ（ステップＳ１１０１：Ｎｏ）。
【０１５７】
店舗端末１３１は、カード決済の手続きの開始を受け付けると（ステップＳ１１０１：Ｙｅｓ）、店員から支払額を受け付ける（ステップＳ１１０２）。そして、店舗端末１３１は、カードリーダを介して、カード情報の読み取りを開始する（ステップＳ１１０３）。
【０１５８】
カード情報の読み取りにおいて、店舗端末１３１は、カード番号や、読取情報のうち支払方法に関する情報の読み取りをおこなう。ここで、カード１２２において利用者の指紋認証が既におこなわれていることから、店舗端末１３１は、利用者から暗証番号の入力を受け付けることはしない。
【０１５９】
そして、店舗端末１３１は、読取情報のうち支払方法に関する情報を読み取ったか否かを判断する（ステップＳ１１０４）。店舗端末１３１は、支払方法に関する情報を読み取っていない場合（ステップＳ１１０４：Ｎｏ）、すなわち、たとえば、カード１２２に支払方法に関する情報が保持されていない場合、カード１２２による決済がおこなえないことを示すエラー通知をおこない（ステップＳ１１０５）、一連の処理を終了する。
【０１６０】
一方、店舗端末１３１は、支払方法に関する情報を読み取った場合（ステップＳ１１０４：Ｙｅｓ）、カード会社サーバ１１１に与信照会（オーソリゼーション）を依頼する（ステップＳ１１０６）。与信照会の依頼に際して、店舗端末１３１は、ステップＳ１１０２において受け付けた支払額を示す情報、およびステップＳ１１０３において読み取ったカード番号や支払方法に関する情報をカード会社サーバ１１１へ送信する。
【０１６１】
ここで、カード１２２において利用者の指紋認証が既におこなわれていることから、与信照会の依頼に際して、店舗端末１３１は、利用者から暗証番号の入力を受け付けることはせず、また、カード会社サーバ１１１へ暗証番号を送信しない。このため、カード会社サーバ１１１において、暗証番号を用いた認証もおこなわれない。
【０１６２】
そして、店舗端末１３１は、カード会社サーバ１１１によって決済されたか否かを判断する（ステップＳ１１０７）。店舗端末１３１は、カード会社サーバ１１１によって決済されない場合（ステップＳ１１０７：Ｎｏ）、ステップＳ１１０５に移行する。一方、店舗端末１３１は、カード会社サーバ１１１によって決済された場合（ステップＳ１１０７：Ｙｅｓ）、表示や印字により支払手続が完了した旨を通知し（ステップＳ１１０８）、一連の処理を終了する。
【０１６３】
上述した処理により、カード１２２のクレジットカードの機能を用いて支払をおこなう際に、利用者（支払者）がテンキーを用いて暗証番号を入力したり、店員に支払い回数を口頭で伝えたりすることを不要にすることとすることができる。また、店員にとっても、支払者に支払回数などの支払方法を尋ねたり、決済端末に支払方法を入力したりすることを不要とすることができる。したがって、カード１２２の利用にかかる者の手間を抑え、簡単且つ迅速にカード決済をおこなうことができる。また、カード会社サーバ１１１は、暗証番号等を用いた認証をおこなわないため、カード決済にかかる処理負担を軽減することができる。
【０１６４】
（ＡＴＭ１３２がおこなう出金処理手順の一例）
つぎに、図１２を用いて、ＡＴＭ１３２がおこなう出金処理手順の一例について説明する。図１２は、ＡＴＭ１３２がおこなう出金処理手順の一例を示すフローチャートである。
【０１６５】
図１２において、ＡＴＭ１３２は、出金手続の開始を受け付けたか否かを判断する（ステップＳ１２０１）。出金手続の開始を受け付けるとは、たとえば、利用者（出金する者）から、出金手続を開始する旨の操作入力を受け付けることである。ＡＴＭ１３２は、出金手続の開始を受け付けるまで待つ（ステップＳ１２０１：Ｎｏ）。
【０１６６】
ＡＴＭ１３２は、出金手続の開始を受け付けると（ステップＳ１２０１：Ｙｅｓ）、カードリーダを介して、カード情報の読み取りを開始する（ステップＳ１２０２）。カード情報の読み取りにおいて、ＡＴＭ１３２は、カード番号や、読取情報のうち出金額の情報の読み取りをおこなう。ここで、カード１２２において利用者の指紋認証が既におこなわれていることから、ＡＴＭ１３２は、利用者から暗証番号の入力を受け付けることはしない。
【０１６７】
そして、ＡＴＭ１３２は、出金額の情報を読み取ったか否かを判断する（ステップＳ１２０３）。ＡＴＭ１３２は、出金額の情報を読み取っていない場合（ステップＳ１２０３：Ｎｏ）、たとえば、カード１２２に出金額の情報が保持されていない場合、カード１２２による出金がおこなえないことを示すエラー通知をおこない（ステップＳ１２０４）、一連の処理を終了する。
【０１６８】
一方、ＡＴＭ１３２は、出金額の情報を読み取った場合（ステップＳ１２０３：Ｙｅｓ）、銀行サーバ１１２に、カード番号が示す口座の残金照会を依頼する（ステップＳ１２０５）。残金照会の依頼に際して、ＡＴＭ１３２は、ステップＳ１２０２において読み取ったカード番号や出金額の情報を銀行サーバ１１２へ送信する。
【０１６９】
ここで、カード１２２において利用者の指紋認証が既におこなわれていることから、残金照会の依頼に際して、ＡＴＭ１３２は、利用者から暗証番号の入力を受け付けることはせず、また、銀行サーバ１１２へ暗証番号を送信しない。このため、銀行サーバ１１２において、暗証番号を用いた認証もおこなわれない。
【０１７０】
そして、ＡＴＭ１３２は、残金照会の結果、出金可能であるか否かを判断する（ステップＳ１２０６）。ＡＴＭ１３２は、出金可能ではない場合（ステップＳ１２０６：Ｎｏ）、ステップＳ１２０４に移行する。一方、ＡＴＭ１３２は、出金可能である場合（ステップＳ１２０６：Ｙｅｓ）、出金額の情報が示す金額の払い出しや、出金後の残額の表示や印字などをおこなう出金処理をおこない（ステップＳ１２０７）、一連の処理を終了する。
【０１７１】
上述した処理により、カード１２２のキャッシュカードの機能を用いた出金をおこなう際に、利用者（出金者）がテンキーを用いた金額の入力や暗証番号の入力を不要とすることができる。したがって、カード１２２の利用にかかる者の手間を抑え、簡単且つ迅速に出金をおこなうことができる。したがって、銀行サーバ１１２は、暗証番号等を用いた認証をおこなわないため、出金にかかる処理負担を軽減することができる。
【０１７２】
以上説明したように、本実施の形態にかかるカード１２２によれば、利用者から生体情報を受け付けるだけで、利用者の認証と、取引にかかる読取情報の保持とをおこなうことができる。このため、カード１２２を用いた取引をおこなう際の手順を簡素化することができ、簡単且つ迅速に取引をおこなうことができる。したがって、カード１２２の利用にかかる利便性を向上させることができる。
【０１７３】
具体的には、本実施の形態にかかるカード１２２は、利用者の生体情報と、利用者の取引に関する属性情報（出金額の情報や支払に関する情報）とを対応付けて記憶しておき、利用者から受け付けた生体情報と一致する生体情報が記憶されているか否かの認証判定をおこなうこととした。これにより、カード１２２単独で、利用者本人の認証をおこなうことができる。
【０１７４】
また、カード１２２は、認証判定において一致する生体情報を記憶していると判定した場合、該一致する生体情報と対応付けられて記憶している属性情報を、所定の読取装置（店舗端末１３１やＡＴＭ１３２）が読み取るための読取情報から変換された取引情報を保持することとした。
【０１７５】
これにより、カード１２２は、利用者から生体情報を受け付けるだけで、利用者の認証と、取引にかかる読取情報の入力とを同時におこなうことができる。これにより、カード１２２によれば、取引をおこなう際の手順を簡素化することができ、簡単且つ迅速に取引をおこなうことができる。
【０１７６】
また、本実施の形態にかかるカード１２２は、複数の生体情報と、複数の生体情報に対応付けられる複数の属性情報とを記憶することとした。これにより、カード１２２は、利用者から、複数の生体情報のうち一の生体情報を受け付けることができ、受け付けた生体情報に応じた読取情報（属性情報）を保持することができる。これにより、読取情報のバリエーションを増やすことができ、カード１２２の利便性を、より向上させることができる。
【０１７７】
また、本実施の形態にかかるカード１２２は、読取情報を保持した後に、利用者から再び生体情報を受け付けた場合に、当該生体情報を用いて再び認証判定をおこない、当該認証判定において一致する生体情報があると判定された場合、当該一致する生体情報に対応付けられる属性情報を用いて、保持する読取情報を更新することとした。
【０１７８】
これにより、利用者は、カード１２２に保持させた読取情報に誤りがある場合に、読取情報を修正することができる。また、本実施の形態にかかるカード１２２によれば、利用者から受け付けた出金額の情報を組み合わせた額の出金額を保持することができるため、カード１２２の利便性を向上させることができる。
【０１７９】
また、本実施の形態にかかるカード１２２は、読取情報を保持した後に、利用者から再び生体情報を受け付けた場合に、当該生体情報を用いて再び認証判定をおこない、当該認証判定において一致する生体情報がないと判定された場合、保持した読取情報を消去することとした。
【０１８０】
すなわち、カード１２２は、カード１２２に予め記憶されていない指（たとえば、右小指や第三者の指）でカード１２２の指紋読取部１２３がタッチされた場合には認証に失敗することとなり、この場合に、ディスプレイ１２４に表示された読取情報をリセットすることとした。したがって、利用者は、読取情報を修正し、再度、カード１２２に読取情報を保持させることができる。また、第三者が読取情報を保持させることができないため、第三者によるカード１２２の不正な使用を抑制することができる。
【０１８１】
また、本実施の形態にかかるカード１２２は、読取情報を保持してから所定時間が経過した場合、保持した読取情報を消去することとした。これにより、読取情報を長時間保持されることがないため、仮に、読取情報を保持した状態でカード１２２が盗難されたとしても、第三者によるカード１２２の不正使用を防止することができる。
【０１８２】
また、本実施の形態において、属性情報は、出金額の情報および支払方法に関する情報のうち、少なくともいずれか一方を含むこととした。これにより、出金をおこなう際に、利用者は、テンキー等を用いて金額や暗証番号を入力しなくても、カード１２２に指をタッチするだけで、簡単且つ迅速に出金手続をおこなうことができる。
【０１８３】
また、利用者がテンキー等を用いて暗証番号を入力したり、店員に支払い回数を口頭で伝えたりする必要がなく、また、店員にとっても、支払者に支払回数などの支払方法を尋ねたり、決済端末に支払方法を入力したりせずに、カード１２２に指をタッチするだけで、簡単且つ迅速にカード決済をおこなうことができる。
【０１８４】
また、たとえば、カード決済において、低額の支払いを複数回の分割払いとする場合に、利用者は、その旨を店員に口頭で伝えることに恥ずかしさを感じることがある。本実施の形態によれば、店員に支払に関する情報を知らせなくても、支払に関する情報を店舗端末１３１に入力することができる。このため、カード１２２によれば、利用者に恥ずかしさを感じさせないようにすることができるとともに、分割払いの利用を促進させることができる。また、カード１２２によれば、店員が支払い回数を把握する必要がないため、店員が知り得る利用者の個人情報を低減させることができる。
【０１８５】
また、本実施の形態にかかるカード１２２は、保持した読取情報をディスプレイ１２４に表示することとした。これにより、利用者は、現時点でカード１２２に保持されている読取情報を容易に把握することができるため、利用者が所望する取引を的確におこなうことができる。
【０１８６】
また、カード１２２は、金額の情報および支払方法に関する情報を所定時間（たとえば２秒）おきに交互に表示することとした。これにより、ディスプレイ１２４の面積を抑えることができるため、消費電力を抑えることができる。また、利用者は、何ら操作をおこなわなくても、容易に、出金額の情報および支払方法に関する情報を把握することができる。
【０１８７】
また、本実施の形態にかかるカード１２２は、出金額の情報および支払方法に関する情報を含む読取情報をディスプレイ１２４に表示することとした。したがって、利用者は、現時点でカード１２２に保持されている出金額や支払方法を容易に把握することができるため、用者が所望する出金手続やカード決済を的確におこなうことができる。
【０１８８】
（カードの他の一例）
つぎに、図１３を用いて、カードの他の一例について説明する。図１３は、カードの他の一例を示す図である。図４Ａ等で説明したカード１２２は、一の指紋読取部１２３を設け、複数の指紋情報にそれぞれ対応付けて属性情報を対応付けて記憶する場合について説明した。図１３に示すカード１３００は、複数の指紋読取部１３０１〜１３０６を設け、指紋読取部１３０１〜１３０６ごとに、一の指紋情報に対応付けられる属性情報を記憶する場合について説明する。なお、カード１３００への取引情報の記憶方法や読取情報の消去方法等については、カード１２２と同様であり、図１３の説明においては説明を省略する。
【０１８９】
図１３の（１）、（２）に示すように、カード１３００は、指紋読取部１３０１〜１３０６と、ディスプレイ１３１０とを有する。カード１３００には、１本の指の指紋情報（たとえば、右人差し指の指紋情報）が登録されている。ただし、カード１３００には、１本の指の指紋情報（たとえば、右人差し指の指紋情報）のほかにも、他の指の指紋情報が登録されていてもよい。これにより、たとえば、怪我などにより１本の指の指紋情報を用いることができない場合でも、他の指の指紋情報を用いて指紋認証をおこなうことができる。
【０１９０】
各指紋読取部１３０１〜１３０６は、利用者によって指紋がタッチされることにより、指紋情報を読み取る。指紋読取部１３０１は、「１回払い」の支払方法に関する情報に対応する。指紋読取部１３０２は、「２回払い」の支払方法に関する情報に対応する。指紋読取部１３０３、「ボーナス払い」の支払方法に関する情報に対応する。
【０１９１】
また、指紋読取部１３０４は、「１００００円」の出金額の情報に対応する。指紋読取部１３０５は、「１０００円」の出金額の情報に対応する。指紋読取部１３０６は、「−１０００円」の出金額の情報に対応する。
【０１９２】
たとえば、図１３の（１）に示すように、利用者が右人差し指で指紋読取部１３０１を１回タッチ（操作）し、カード１３００がおこなう指紋認証に成功すると、ディスプレイ１３１０には、指紋読取部１３０１に応じた支払方法「１回払い」が表示される。このとき、カード１３００には、支払方法として「１回払い」を示す支払に関する情報が記憶される。
【０１９３】
また、ディスプレイ１３１０に、指紋読取部１３０１に応じた支払方法として「１回払い」が表示されている場合に、利用者が右人差し指で指紋読取部１３０２を１回タッチ（操作）し、カード１３００がおこなう指紋認証に成功すると、ディスプレイ１３１０には、指紋読取部１３０２に応じた支払方法として「２回払い」が表示される。このとき、カード１３００には、支払方法として「２回払い」を示す支払に関する情報が記憶されることになる。
【０１９４】
このように、利用者が指紋読取部１３０１〜１３０３をタッチして指紋認証に成功すると、タッチした指紋読取部１３０１〜１３０３に応じた支払方法がディスプレイ１３１０に表示されて、表示された支払に関する情報がカード１３００に記憶される。そして、利用者がカード１３００を用いて支払をおこなう場合、カード１３００を店員に渡し、店員が店舗端末１３１にカード１３００を挿入すると、カード１３００に記憶された支払に関する情報が示す支払方法で支払が可能となる。すなわち、カード１３００を用いることにより、定員が利用者に支払方法を尋ねたり、利用者がそれに返答したり、利用者が暗証番号を入力しなくても、カード１３００に記憶された支払方法で支払が可能となる。
【０１９５】
また、たとえば、図１３の（２）に示すように、利用者が右人差し指で指紋読取部１３０４を１回タッチ（操作）し、カード１３００がおこなう指紋認証に成功すると、ディスプレイ１３１０には、指紋読取部１３０４に応じたキャッシュカードの出金額「１００００円」が表示される。このとき、カード１３００には、出金額「１００００円」を示す出金額の情報が記憶される。
【０１９６】
また、ディスプレイ１３１０に、指紋読取部１３０４に応じた出金額「１００００円」が表示されている場合に、利用者が右人差し指で指紋読取部１３０５を１回タッチ（操作）し、カード１３００がおこなう指紋認証に成功すると、ディスプレイ１３１０には、指紋読取部１３０５に応じた出金額が加算されて「１１０００円」が表示される。このとき、カード１３００には、出金額「１１０００円」を示す出金額の情報が記憶される。
【０１９７】
このように、利用者が指紋読取部１３０４〜１３０６をタッチして指紋認証に成功すると、タッチした指紋読取部１３０４〜１３０６に応じたキャッシュカードの出金額に相当する金額が増額または減額されてディスプレイ１３１０に表示され、表示された出金額の情報がカード１３００に記憶される。そして、利用者が、このカード１３００をＡＴＭ１３２に挿入すると、ＡＴＭ１３２において暗証番号や出金額の入力をしなくても、カード１３００に記憶された出金額の情報が示す額の出金が可能となる。
【０１９８】
本実施の形態にかかるカード１３００によれば、利用者から生体情報を受け付けるだけで、利用者の認証と、取引にかかる読取情報の保持とをおこなうことができる。このため、カード１３００を用いた取引をおこなう際の手順を簡素化することができ、簡単且つ迅速に取引をおこなうことができる。したがって、カード１３００の利用にかかる利便性を向上させることができる。
【０１９９】
本実施の形態において、たとえば、カード会社サーバ１１１や銀行サーバ１１２に記憶されるカード情報に対応付けられて、安否確認を示す情報の送信先が記憶されていてもよい。たとえば、災害時等に、カード会社サーバ１１１や銀行サーバ１１２は、利用者がカード１２２，１３００を用いて店舗で商品を購入したり銀行で出金したりした際に、指紋認証によって生存の確認が取れていることから、安否確認を示す情報を所定の送信先に送信すればよい。これにより、災害時等において、電話やメール等が使用できない場合でも、比較的堅牢な決済用や銀行用のネットワークを用いることにより、当該ネットワークに接続する所定の送信先に、安否確認を示す情報を送信することができる。
【０２００】
本実施の形態で説明した情報記憶プログラムは、ハードディスク、フレキシブルディスク、ＣＤ（Ｃｏｍｐａｃｔ  Ｄｉｓｃ）−ＲＯＭ（Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリ等のコンピュータで読み取り可能な記憶媒体に記憶され、コンピュータによって記憶媒体から読み出されることによって実行される。また、情報記憶プログラムは、インターネット等のネットワークを介して配布されてもよい。
【産業上の利用可能性】
【０２０１】
以上のように、この発明にかかるカード、情報記憶方法、および情報記憶プログラムは、クレジットカードやキャッシュカードなどのカード、取引をおこなうための情報を記憶する情報記憶方法、および情報記憶プログラムに有用であり、特に、カードを用いた取引をおこなう際の手順を簡素化し、簡単且つ迅速な取引を促進する、カード、情報記憶方法、および情報記憶プログラムに適している。
【符号の説明】
【０２０２】
１００  取引システム
１１１  カード会社サーバ
１１２  銀行サーバ
１２１  利用者端末
１２２，１３００  カード
１２３，１３０１〜１３０６  指紋読取部
１２４，２２５，１３１０  ディスプレイ
１２５  取引情報テーブル
１３１  店舗端末
１３２  ＡＴＭ
１４０  ネットワーク
２１０，２２０  バス
２１１，２２１  ＣＰＵ
２１２，２２２  メモリ
２１３  出力デバイス
２１４  入力デバイス
２１５，２２３  通信ＩＦ
２２４  指紋センサ
５０１  取引情報受信部
５０２  取引情報記憶部
５０３，５１１  生体情報受付部
５０４  認証判定部
５０５  読取情報保持部
５０６  表示部
５１２  属性情報受付部
５１３  受付情報記憶部
５１４  通信部
５２１  読取部
５２２  通信部
５３１  読取部
５３２  通信部
【図１】
2019148938.tif 000003
【図２Ａ】
2019148938.tif 000004
【図２Ｂ】
2019148938.tif 000005
【図３】
2019148938.tif 000006
【図４Ａ】
2019148938.tif 000007
【図４Ｂ】
2019148938.tif 000008
【図５】
2019148938.tif 000009
【図６】
2019148938.tif 000010
【図７】
2019148938.tif 000011
【図８】
2019148938.tif 000012
【図９】
2019148938.tif 000013
【図１０Ａ】
2019148938.tif 000014
【図１０Ｂ】
2019148938.tif 000015
【図１１】
2019148938.tif 000016
【図１２】
2019148938.tif 000017
【図１３】
2019148938.tif 000018